(57)【要約】      （修正有）【課題】ガスクロマトグラフの熱脱離装置中に挿入するための、分析対象物質の固相マイクロ抽出および分析用の装置を提供する。【解決手段】吸収材および／または吸着材で製作され、棒状支持体１４上に置かれた、少なくとも１つのコレクタ１３を備えるとともに、突き刺し可能な仕切り壁１５でシールされるとともに、コレクタ１３が、サンプリング時間の間、仕切り壁１５を突き刺して、その中に導入される、少なくとも１つのサンプル容器１０を備える、特にガスクロマトグラフにおける、分析対象物質の固相マイクロ抽出および分析用の装置であって、前記サンプル容器１０のシーリング１６が、前記突き刺し可能な仕切り壁１５と、クランプリング１７とから組み立てられている。【選択図】図３−４
2015197444.tif 000002
【特許請求の範囲】
【請求項１】
吸収材および／または吸着材で製作され、棒状支持体（１４）上に置かれた、少なくとも１つのコレクタ（１３）を備えるとともに、突き刺し可能な仕切り壁（１５）でシールされるとともに、コレクタ（１３）が、サンプリング時間の間、仕切り壁（１５）を突き刺して、その中に導入される、少なくとも１つのサンプル容器（１０）を備える、特にガスクロマトグラフにおける、分析対象物質の固相マイクロ抽出および分析用の装置であって、
前記サンプル容器（１０）のシーリング（１６）が、前記突き刺し可能な仕切り壁（１５）と、クランプリング（１７）とから組み立てられており、該クランプリング（１７）は、前記サンプル容器（１０）上に装着することが可能であって、前記仕切り壁（１５）を、シーリング要素（１８）と一緒に、サンプル容器（１０）の上部リム（１９）上に押圧するとともに、また前記クランプリングは、前記コレクタ（１３）が、前記仕切り壁（１５）を突き刺し、続いて前記サンプル容器（１０）中に挿入された後に、前記棒状支持体（１４）の取扱い端に取り付けられた移送アダプタ（２１）のはめあい部（２２）を、その中に脱着可能に、シーリング面圧（２４）でアンカー固定することができる、ソケット（２０）を含む、ことを特徴とする、前記装置。
【請求項２】
突き刺し可能な仕切り壁（１５）が、膜、金属もしくはプラスチックのシート、または弾性変形可能な通路閉止要素（３９）として設計されていることを特徴とする、請求項１に記載の装置。
【請求項３】
移送アダプタ（２１）が、ソケット（２０）中に半径方向に圧入することのできる、Ｏリングシール（２５）を挿入するための環状溝（２６）を有することを特徴とする、請求項１または２に記載の装置。
【請求項４】
ソケット（２０）を形成するアダプタ嵌合部品を、クランプリング（１７）中に挿入することができることを特徴とする、請求項１から３のいずれか一項に記載の装置。
【請求項５】
移送アダプタ（２１）が、異なる設置状況に対する接続要素（２８、２９）を有することを特徴とする、請求項１から４のいずれか一項に記載の装置。
【請求項６】
コレクタ（１３）が、ファイバと、ファイバを包囲するケージ（３４）を含むことを特徴とする、請求項１から５のいずれか一項に記載の装置。
【請求項７】
コレクタ（１３）が、ロッド状支持体（１４）上に押し付けられる、吸収材および／または吸着材で製作されたチューブであることを特徴とする、請求項１から５のいずれか一項に記載の装置。
【請求項８】
コレクタ（１３）が、粉末状の吸収材および／または吸着材その中に挿入された、貫流中空ボディ（３５）を含む、請求項１から５のいずれか一項に記載の装置。
【請求項９】
固相マイクロ抽出を自動化するために、移送アダプタ（２１）を、オートサンプラの可動受けアーム（３）に使用できることを特徴とする、請求項１から８のいずれか一項に記載の装置。
【請求項１０】
クランプリング（１７）を、スクリュークロージャ（３０）を介して、サンプル容器（１０）の首部（２３）上に装着することができることを特徴とする、請求項１から９のいずれか一項に記載の装置。
【請求項１１】
溶媒および／または吸着材が、ポリエチレングリコール、シリコーン、オクタデシルトリクロロシラン、ポリメチルビニルクロロシラン、液晶性ポリアクリレート、グラフト型自己組織化単分子層、グラフェン、カーボンナノチューブ、イオン液体および無機コーティング材からなる群からの材料であることを特徴とする、請求項１から１０のいずれか一項に記載の装置。
【発明の詳細な説明】
【技術分野】
【０００１】
本発明は、特に、請求項１のプリアンブルに記載のガスクロマトグラフの熱脱離（thermodesorption）装置中に挿入するための、分析対象物質の固相マイクロ抽出および分析用の装置に関する。
【背景技術】
【０００２】
サンプルの構成成分を定性的および定量的に特定するために、特にクロマトグラフ分離法を用いて、分析機器が使用される。この分離技法の効率は、一般に、好適なサンプル調製またはサンプル導入によって向上させることができる。ユーザがサンプリング過程の自動化に成功した場合にのみ、ユーザは最高レベルの精度、再現性およびサンプルスループットを達成する。そういうわけで、クロマトグラフ、特にガスクロマトグラフに対して、自動化されたサンプル調製装置およびサンプル注入装置が知られており、これらはオートサンプラと呼ばれる。
【０００３】
ドイツ特許ＤＥ１０２１９７９０Ｃ１は、そのようなオートサンプラを開示しており、このオートサンプラは、サンプラのホルダ用の受けアームを備え、この受けアームは、互いに垂直な３方向に移動可能である。この種のオートサンプラは、所定の、簡単なシーケンス、例えば、アンプル（バイアル）からのシリンジによるサンプリングと、このサンプルの分析機器のサンプル導入システム内への導入のため、およびこのシーケンスのために提案された種類のサンプラ、例えば、特定の寸法のシリンジのために設計されている。したがって、受けアーム用のいくつかのマウンティングを提供することも知られている。
【０００４】
固相マイクロ抽出（ＳＰＭＥ）を実行するために、ドイツ特許ＤＥ６９１０２７００Ｔ２から、ハウジング内に収納されて吸着剤として機能する、ファイバを使用することが知られている。このファイバは、最初に、ハウジングとして使用されるとともに、サンプル容器の隔壁（septum）を突き刺すことのできる針の中に位置する。シリンジプランジャに取り付けられているファイバは、次いで、針から外に誘導することができる。分析物が固相に拡散してそこで吸着される、規定されたサンプリング時間の後に、針は、引き戻され、次いで、ガスクロマトグラフのインジェクタ中に導入される。これに続いて、分析物の熱脱離、およびそれらのガスクロマトグラフ分離および特定が行われる。収集は、液体マトリックスと液体または個体の上方の気相の両方において、ヘッドスペース（headspace）技法と呼ばれるものを用いて、行うことができる。ファイバを用いる固相マイクロ抽出は、完全に自動化できるとともに、例えば、水サンプル内の農薬（pesticides）の分析に使用される。欠点は、ファイバを使用することによって、シリンジを備える複雑な取扱いシステムが必要となることである。
【０００５】
欧州特許ＥＰ１４０６０７７Ｂ１は、固相マイクロ抽出のコレクタ、および分析対象物質の分析を開示しており、このコレクタは、受動コレクタとして、およびキャリア液体内の撹拌要素としての両方に使用が可能である。このために、コレクタは、チューブ材料が吸着剤としてその上に押し付けられる、棒状支持体で構成される。チューブを用いて、計量可能な相、およびしたがって、規定された量の活性相が支持体に取り付けられる。再生可能な測定結果は、このようにして達成される。欠点としては、このスタンドアローンコレクタは、それ自体がシリンジに接続されていないために、自動化された使用を困難にすることがある。
【発明の概要】
【０００６】
したがって、本発明の目的は、分析用サンプルの取扱いを改善する、固相マイクロ抽出用装置を提供することである。
【０００７】
この目的は、請求項１の特徴によって達成される。
これによって、分析対象物質の固相マイクロ抽出および分析用の装置、特に、請求項１のプリアンブルに記載のガスクロマトグラフの熱脱離装置中に挿入するための装置が提供され、この装置は、改善された方法で、コレクタの固相上の物質の検出を機械化する。コレクタ使用の自動化は、コレクタがファイバとして設計されているか、支持体中に押し込まれるチューブ材料として設計されているか、またはその他の吸着剤として設計されているかには特にかかわらず、容易化される。
【０００８】
本発明によれば、それぞれのサンプル容器には、クランプリング（clamping ring）がキャップとして設けられており、このクランプリングは、移送アダプタ用の設置ベースである。移送アダプタは、一方で、シールシートを取り付けることができるターミナルヘッド（terminal head）を提供するとともに、他方では、コレクタ用のターミナルインセット（terminal inset）を提供する。ターミナルヘッドとして、移送アダプタは、自動化グリッパまたは可動受けアームによって把持することができるとともに、同時に、コレクタが挿入されるときに、サンプル容器が移送アダプタによってシールされることを確実にする。それによって、自己シール隔壁に加えて、特に、機械的に容易に突き刺すことができる、仕切り壁または分離壁を使用することが可能である。これらは、例えば、膜、金属もしくはプラスチックのシート、または弾性的に変形可能な通路閉止要素である。
【０００９】
クランプリングとして設計された設置ベースは、簡単な方法でシーリング要素を装入することを可能にし、その変形によって、クランプリングが装着されるときに、サンプル容器の首部においてシーリング機能が生成される。
シーリング要素としてＯリングを使用することは、軸方向変形に加えて半径方向変形によるシーリング機能が可能になるので、好ましい。移送アダプタのクランプリングへの取り付けは、このようにシーリング要素の半径方向変形を介して容易に行うことが可能であり、その結果、さらにクランプリングと移送アダプタの間の保持力を生成することができ、この力は、サンプルを収納するサンプル容器の固有重力を超える。結果的に、サンプル容器を、移送アダプタによって移送するとともに、任意選択で、例えば揺動装置などにおいて処理することができる。
【００１０】
コレクタは、棒状支持体上に置かれて、ファイバとするか、または吸着剤として機能する様々な材料で棒状支持体を裏打ちすることができる。仕切り壁は、機械的に突き刺すのが容易に設計することが可能であるので、コレクタで裏打ちされた支持体は、数ミリメートル、例えば１〜５ｍｍの範囲の直径を有する突き刺し部材として使用することができる。対照的に、従来技術において使用されるファイバの直径は０．０５から１ｍｍの間で変化する。特に、チューブ状吸着剤で裏打ちされた支持体は、ホルダによって誘導されるインサートとして、自動化された方法でサンプル容器中に導入して、それから取り外すこともできる。
【００１１】
本発明のさらなる実施態様および利点は、以下の説明および従属請求項に記載されている。
添付の図に示される実施態様に基づいて、以下にさらに詳細に本発明を説明する。
【図面の簡単な説明】
【００１２】
【図１】図１は、第１の実施態様による固相マイクロ抽出用装置を備える、サンプル取扱い用装置の概略斜視図である。
【図２】図２は、図１からの細部Ｚを示す拡大図である。
【図３】図３は、第１の実施態様による固相マイクロ抽出用装置を示す、概略斜視分解図である。
【図４】図４は、図３に記載の分解図の概略側面図である。
【図５】図５は、第１の実施態様による固相マイクロ抽出用装置を貫く、概略縦断面図である。
【図６】図６は、図５からの細部Ｙを示す拡大図である。
【００１３】
【図７】図７は、第１の実施態様による固相マイクロ抽出用装置がそれに挿入されるバイブレータを示す、概略部分断面図である。
【図８】図８は、第２の実施態様による固相マイクロ抽出用装置を貫く、概略縦断面図である。
【図９】図９は、第３の実施態様による固相マイクロ抽出用装置を示す、概略部分断面図である。
【図１０】図１０は、図９からの細部Ｖを示す拡大図である。
【図１１】図１１は、第４の実施態様による固相マイクロ抽出用装置を示す、概略斜視分解図である。
【図１２】図１２は、図１１に記載の分解図の概略側面図である。
【図１３】図１３は、第５の実施態様による固相マイクロ抽出用装置を示す、概略斜視分解図である。
【００１４】
【図１４】図１４は、図１３に記載の分解図の概略側面図である。
【図１５】図１５は、図１４からの細部Ｚを示す拡大図である。
【図１６】図１６は、第６の実施態様による固相マイクロ抽出用装置の分解図の概略側面図である。
【図１７】図１７は、図１６に記載の分解図の概略斜視部分断面図である。
【００１５】
本発明は、特にガスクロマトグラフの熱脱離装置中に挿入するための、分析対象物質の固相マイクロ抽出および分析用の装置に関する。固相マイクロ抽出を自動化するために、サンプル調製またはサンプル導入のためのサンプルのサンプリングは、いわゆるオートサンプラまたはＸＹＺロボットを用いて実施するのが好ましい。
【００１６】
図１および２は、サンプリング用のオートサンプラを示す。このオートサンプラは、好ましくは、クロススライド２のための水平キャリッジガイド１を備え、このクロススライド２は、キャリッジガイド１に沿って移動可能であるとともに、好ましくはキャリッジガイド１に垂直なキャリッジガイド１の面内でも移動可能であって、すべてのステーションに対処可能にされている。受けアーム３は、好ましくは垂直方向に移動可能であり、クロススライド２の端部に位置している。
【００１７】
可動受けアーム３は、少なくとも１つのサンプラ４を交互に保持するように設計されている。受けアーム３は、それぞれのサンプラ４を所望の位置に移動させる役割を果たす。図１によれば、オートサンプラは、コレクタトレー６用の第１のトレーホルダ５を含み、コレクタトレー６内には、サンプリング過程で使用するための複数の収集手段７が置かれている。オートサンプラは、さらに、サンプル容器トレー９用の第２のトレーホルダ８を含み、この第２のトレーホルダ内には、サンプルを収納する複数のサンプル容器１０が置かれている。受けアーム３は、例えば、収集手段７を把持し、それを移送して、選択可能なサンプリング時間の間、サンプル容器１０中に挿入するために、コレクタトレー６およびサンプル容器トレー９の上方の選択可能な位置への移行を可能にする。
【００１８】
図１によると、オートサンプラはまた、好ましくは、バイブレータまたはシェーカー１１を含み、これは、固相への物質の移送を加速するために、収集手段７が設けられたサンプル容器１０の一部または全部を移動させる。収集は、いわゆるヘッドスペース技法を用いて、液体または個体の上方の液体マトリックス内、および気相内でも行うことができる。
サンプラ４を上下に移動させることによって、選択可能なサンプリング時間の間、サンプルを収納するそれぞれのサンプル容器１０中に、収集手段７が挿入されるときに、収集手段７を使用して、サンプル容器１０からサンプルが採取される。この移動は、可動受けアーム３によって実行される。この移動の好ましい方向は、サンプリングのためのサンプラ４の垂直移動である。
【００１９】
図３および４が示すように、分析対象物質の固相マイクロ抽出および分析のために、特に、ガスクロマトグラフの熱脱離装置中への挿入のために、収集手段７およびサンプル容器１０を備える、装置１２が設けられており、この装置は、第１の実施態様によれば、以下のように構成される。装置１２は、吸収材および／または吸着材で製作され、棒状支持体１４上に置かれた、少なくとも１つのコレクタ１３を含む。この装置１２は、突き刺し可能な仕切り壁１５または分離壁でシールされた、少なくとも１つのサンプル容器１０を、さらに含む。仕切り壁１５を突き刺して、コレクタ１３を、サンプル時間の間、サンプル容器１０中に導入することができる。仕切り壁１５によるシーリングは、特に、流体に対して耐漏洩性に設計されている。
【００２０】
サンプル容器１０のシーリング１６は、サンプル容器１０上に装着することのできる、突き刺し可能な仕切り壁１５、およびクランプリング１７で組み立てられる。クランプリング１７は、シーリング要素１８と一緒に、仕切り壁１５を、サンプル容器１０の上部リム１９上に押圧する。シーリング１６は、さらにソケット２０を含み、このソケット２０は、クランプリング１７と、サンプル容器１０の上部リム１９の間の圧入に使用されるか、または例えば、クランプリング１７と一体（図示せず）に設計することができる。ソケット２０は、棒状支持体１４の取扱い端に取り付けられる、移送アダプタ２１（図６を参照）用のアダプタ嵌合部品を形成する。シーリング要素１８は、Ｏリングとして設計することができる。
【００２１】
移送アダプタ２１は、はめあい部（fitting）２２を有し、このはめあい部２２は、特に図５および６に示されるように、仕切り壁１５を突き刺すのに続いて、サンプル容器１０中にコレクタ１３が挿入された後に、移送アダプタ２１をサンプル容器１０のシーリング１６上に脱着可能に固定するために、シーリング面圧２４によってソケット２０内にアンカー固定することができる。
クランプリング１７は、ここで、サンプル容器１０の首部２３への固定リングとして、スクリュークロージャ３０を用いて、ねじ込まれる。代替的に、クランプリング１７は、押し込むか、またはラッチ止めすることもできる。
【００２２】
突き刺し可能な仕切り壁１５は、好ましくは、膜、または金属シートもしくはプラスチックシートとして設計される。このシートの材料の例としては、アルミニウム、テフロン（登録商標）およびポリプロピレンがある。シート用の材料は、好ましくは、導入しようとする、または既に導入されたサンプルに対して化学的に不活性である。機械的に容易に突き刺し可能であり、特に、１ｍｍ超の直径を有するコレクタ１３によっても突き刺し可能なシートは、サンプル容器１０用のシーリングとしての隔壁を代替する。装置１２において、隔壁によって実現されるシーリングは、クランプリング１７に対して移送アダプタ２１をシールするとともに、サンプル容器１０に対してクランプリング１７をシールする、シーリング面圧２４およびシーリング要素１８とともに、仕切り壁１５によって与えられる。シーリングは、好ましくは気密性である。
【００２３】
このように、本発明によれば、仕切り壁１５が突き刺された後で、かつコレクタ１３が挿入されている間、具体的には、サンプリングおよびサンプル配布のために、自動化されたサンプラまたはロボットによって把持して移送させることができる、収集手段７の同時準備によって、サンプル容器１０および外部環境の機能的に分離されたスペース間の物質流を禁止するために、好ましくは２つのシールリングを備えるシーリングシステムが設けられている。それによって、仕切り壁１５の材質にかかわりなく、仕切り壁が突き刺された後でも、サンプル容器１０が、なおシールされていることが保証される。このことは、特に、固有の弾性的閉止効果のない材料、例えば、突き刺しによって破裂を生じる可能性のある、例えば、金属シートに対して、当てはまる。
【００２４】
特に図５および６が示すように、移送アダプタ２１は、シーリング面圧２４のために、好ましくは、ソケット２０中に半径方向に押圧することのできる、Ｏリング２５を用いてシールを挿入するための、環状溝２６を有する。シーリング面圧２４は、その保持力が、追加の保持手段を必要とすることなく、移送アダプタ２１を介して、サンプル容器１０を移動させるのに十分であるように、構成することができる。はめあい部２２上に、ソケット２０上でリミットストップとして作用する、突縁２７（図６を参照）を設けることができる。そうすると、移送アダプタ２１のはめあい部２２とシーリング１６のソケット２０の間のシーリング面圧２４を、確実に配置することができる。
【００２５】
移送アダプタ２１は、サンプラ４上での異なる設置状況に対する接続要素２８、２９を有することができる。
コレクタ１３は、例えば、棒状支持体１４上に押し付けられる、吸収材および／または吸着材のチューブを含む。代替的に、コレクタ１３を提供するために、支持体１４は、吸着剤としての多様な材料で裏打ちすることができる。支持体１４は、好ましくは、１〜６ｍｍの範囲の直径を有する。吸着剤での裏打ちは、例えば、０．０５〜２ｍｍの厚さ範囲とすることができる。支持体１４は、代替的に、例えば、サンプル容器１０内でのサンプリング過程中に収集手段７を介して、追加の処方を実行することができるように、チューブ（図示せず）として設計することができる。
【００２６】
装置１２は、移送可能サンプラとして、図７に示されるように、様々な処理ステーション、例えば、バイブレータ／シェーカー１１へ移動させることができる。この工程において装置１２を固定するために、保持手段３７を設けることができる。さらに、装置１２の温度制御を行うことができる。
図８が示すように、収集手段７は、サンプリングのために、またはサンプリングの完了後に、貫流チューブ（flow through tube）３１中に挿入することが可能であり、その場合には、移送アダプタ２１のシーリング面圧２４は、このチューブ３１の挿入端部において取り付けヘッド３２によって、発生させることができる。
【００２７】
第３の実施態様によって、図９および１０が示すように、収集された物質の吸着または脱離用のコレクタ１３は、ヘッドスペース容器としての加圧容器３６中に導入することができる。加圧容器３６は蓋部３３を有し、この蓋部３３は、ヘッド端において、上述のように、シーリング１６を取り付けるための首部２３を有する。関連する装置に、上述のようにシーリング１６が割り当てられている場合には、移送アダプタ２１は、また、脱離目的で使用することもできる。
【００２８】
図１１および１２は、装置１２の第４の実施態様を示し、これは、コレクタ１３が、ファイバと、ファイバを包囲するケージ３４を含む点において、図３および４による第１の実施態様と異なる。その他の点では、第１の実施態様に関して上述された詳細が、相応して当てはまる。
図１３〜１５は、装置１２の第５の実施態様を示し、この場合には、コレクタ１３は貫流中空ボディ（flow through hollow body）３５を含み、この貫流中空ボディ３４は、好ましくは格子状外壁を有し、その中に粉末状の吸収材および／または吸着材が挿入される。その他の点では、第１の実施態様に関して上述された詳細が、相応して当てはまる。
【００２９】
図１６および１７は、装置１２の第６の実施態様を示し、この場合には、シーリング１６は、突き刺し可能な機能性仕切り壁３８を有する。この機能性仕切り壁３８は、ここでは、例えば、弾性円錐シールとして設計されている、弾性変形可能な通路閉止要素３９によって与えられている。この弾性的な通路閉止要素３９が貫通されると、サンプル容器１０中への挿入時に、収集手段７は、通路閉止要素３０の壁をわずかに側方に押圧する。シーリングディスク４０は、機能性仕切り壁３８上に直接、置くことが可能であるとともに、クランプリング１７によって、シール状態でサンプル容器１０の上部リム１９上に押圧することができる。シーリングディスク４０に追加して、またはその代替（図示せず）として、シーリング要素１８を、上述のように設けることができる。その他の点では、第１の実施態様に関して上述した詳細が、相応して当てはまる。
【００３０】
コレクタ１３用の吸収材および／または吸着材として、例えば、ポリエチレングリコール、シリコーン、オクタデシルトリクロロシラン、ポリメチルビニルクロロシラン、液晶性ポリアクリレート、グラフト型自己組織化単分子層（grafted self-organized monomolecular layers）、グラフェン、カーボンナノチューブ、イオン液体および無機コーティング材からなる群から選択することができる。
サンプリング過程の後に、コレクタ１３を備える収集手段７を、既知の方向で、熱脱離装置中に導入することができる。熱脱離装置内で脱着される代わりに、収集手段７は、有機液体を収納する抽出装置中に導入することも可能であり、この有機液体は、分析しようとする物質と高いレベルの反応を有するものである。
【００３１】
収集手段７から脱着された物質は、例えば、ガスクロマトグラフの分離カラムを介して、キャリアガスを用いての分析を行うために、好ましくは、例えばガスクロマトフラフの、導入装置に送給される。
【図１−２】
2015197444.tif 000003
【図３−４】
2015197444.tif 000004
【図５−６】
2015197444.tif 000005
【図７】
2015197444.tif 000006
【図８】
2015197444.tif 000007
【図９−１０】
2015197444.tif 000008
【図１１−１２】
2015197444.tif 000009
【図１３−１５】
2015197444.tif 000010
【図１６−１７】
2015197444.tif 000011
【手続補正書】
【提出日】平成27年7月16日(2015.7.16)
【手続補正１】
【補正対象書類名】明細書
【補正対象項目名】００１２
【補正方法】変更
【補正の内容】
【００１２】
【図１−Ａ】図１−Ａにおいて、図１は、第１の実施態様による固相マイクロ抽出用装置を備える、サンプル取扱い用装置の概略斜視図であり、図２は、図１からの細部Ｚを示す拡大図である。
【図１−Ｂ】図１−Ｂにおいて、図３は、第１の実施態様による固相マイクロ抽出用装置を示す、概略斜視分解図であり、図４は、図３に記載の分解図の概略側面図である。
【図１−Ｃ】図１−Ｃにおいて、図５は、第１の実施態様による固相マイクロ抽出用装置を貫く、概略縦断面図であり、図６は、図５からの細部Ｙを示す拡大図である。
【手続補正２】
【補正対象書類名】明細書
【補正対象項目名】００１３
【補正方法】変更
【補正の内容】
【００１３】
【図１−Ｄ】図１−Ｄにおける図７は、第１の実施態様による固相マイクロ抽出用装置がそれに挿入されるバイブレータを示す、概略部分断面図である。
【図１−Ｅ】図１−Ｅにおける図８は、第２の実施態様による固相マイクロ抽出用装置を貫く、概略縦断面図である。
【図１−Ｆ】図１−Ｆにおける図９は、第３の実施態様による固相マイクロ抽出用装置を示す、概略部分断面図であり、図１０は、図９からの細部Ｖを示す拡大図である。
【図１−Ｇ】図１−Ｇにおける図１１は、第４の実施態様による固相マイクロ抽出用装置を示す、概略斜視分解図であり、図１２は、図１１に記載の分解図の概略側面図である。
【図１−Ｈ】図１−Ｈにおける図１３は、第５の実施態様による固相マイクロ抽出用装置を示す、概略斜視分解図であり、図１４は、図１３に記載の分解図の概略側面図であり、図１５は、図１４からの細部Ｚを示す拡大図である。
【手続補正３】
【補正対象書類名】明細書
【補正対象項目名】００１４
【補正方法】変更
【補正の内容】
【００１４】
【図１−Ｉ】図１−Ｉにおける図１６は、第６の実施態様による固相マイクロ抽出用装置の分解図の概略側面図であり、図１７は、図１６に記載の分解図の概略斜視部分断面図である。
【手続補正４】
【補正対象書類名】図面
【補正対象項目名】全図
【補正方法】変更
【補正の内容】
【図１−Ａ】
2015197444.tif 000012
【図１−Ｂ】
2015197444.tif 000013
【図１−Ｃ】
2015197444.tif 000014
【図１−Ｄ】
2015197444.tif 000015
【図１−Ｅ】
2015197444.tif 000016
【図１−Ｆ】
2015197444.tif 000017
【図１−Ｇ】
2015197444.tif 000018
【図１−Ｈ】
2015197444.tif 000019
【図１−Ｉ】
2015197444.tif 000020
【外国語明細書】
2015197444000001.pdf